(57)【要約】【課題】電磁弁及び表示部の駆動源として機能する電池の消耗を抑える。【解決手段】水栓装置１は、吐水部１６と、吐水部１６に接続する流出路８４上に設けられる原水用開閉弁４０と、原水用開閉弁４０を制御する制御部７０とを備える。制御部７０は、原水用操作部６０Ａに対して吐水操作が行われたことに基づき、原水用開閉弁４０を閉塞位置から開放位置に移動させるとともに、原水用吐水表示部６２Ａを所定の吐水用点灯パターンで点灯する吐水用点灯状態とし、第１所定期間経過後に消灯状態とする。【選択図】図１
2020037773.tif 000002
【特許請求の範囲】
【請求項１】
吐水部を有する水栓本体と、
前記吐水部に接続する流路上に設けられ、電池を駆動源として駆動される電磁弁と、
所定の操作部に対して所定の吐水操作が行われたことに基づき、前記流路を閉塞する閉塞位置から前記流路を開放する開放位置に前記電磁弁を移動させる制御部と、
前記操作部に対して前記吐水操作が行われたときに、前記制御部からの指示に応じて、前記電池を駆動源として点灯する吐水表示部と、を備え、
前記制御部は、前記操作部に対して前記吐水操作が行われたことに基づき、前記電磁弁を前記開放位置に移動させるとともに、前記吐水表示部を所定の吐水用点灯パターンで点灯する吐水用点灯状態とし、第１所定期間経過後に消灯状態とする吐水用点灯制御を行うことを特徴とする水栓装置。
【請求項２】
前記制御部は、前記吐水用点灯制御を行っている状況下で、前記操作部に対して前記止水操作が行われたことに基づき、前記電磁弁を前記開放位置から前記閉塞位置に移動させるとともに、前記吐水用点灯制御を中止して前記吐水表示部を前記消灯状態とすることを特徴とする請求項１に記載の水栓装置。
【請求項３】
前記電池の交換時期となったことに基づき、前記制御部からの指示に応じて、前記電池を駆動源として点灯する電池用交換表示部を備え、
前記制御部は、前記電池の交換時期において前記操作部に対して前記吐水操作が行われたことに基づき、前記電磁弁を前記開放位置に移動させて前記吐水用点灯制御を行うとともに、前記電池用交換表示部を所定の電池用点灯パターンで点灯する電池用点灯状態とし、第２所定期間経過後に消灯状態とする電池用点灯制御を行うことを特徴とする請求項１又は２に記載の水栓装置。
【請求項４】
前記第２所定期間は前記第１所定期間よりも長いことを特徴とする請求項３に記載の水栓装置。
【請求項５】
前記制御部は、前記吐水用点灯制御で前記吐水表示部を前記吐水用点灯状態とし且つ前記電池用点灯制御で前記電池用交換表示部を前記電池用点灯状態としている状況下で、前記操作部に対して前記止水操作が行われたことに基づき、前記電磁弁を前記開放位置から前記閉塞位置に移動させるとともに、前記吐水用点灯制御を中止して前記吐水表示部を前記消灯状態とする一方、前記電池用点灯制御における前記電池用点灯状態を継続させることを特徴とする請求項３又は４に記載の水栓装置。
【発明の詳細な説明】
【技術分野】
【０００１】
本発明は水栓装置に関するものである。
【背景技術】
【０００２】
特許文献１は、電磁弁を駆動して吐水と止水とを切り替える吐水装置を開示している。この水栓装置は、水栓装置の吐水と止水とを切り替え操作する操作部と、電磁弁の作動を制御する制御部とを備えている。操作部は、使用者に操作されると、操作信号を制御部に送信する。制御部は、操作信号を受信すると、この操作信号に基づいて電磁弁を開閉させる。また、この吐水装置は、吐水動作の動作状況を表示する表示部を備えている。この吐水装置は、この表示部を点灯させることで、吐水動作の動作状況を使用者に知らせることができる。
【先行技術文献】
【特許文献】
【０００３】
【特許文献１】特開２０１２−１５８８８１号公報
【発明の概要】
【発明が解決しようとする課題】
【０００４】
上述した特許文献１の水栓装置は、電池を電源として電磁弁及び表示部を駆動する構成とする場合、電池が切れると電池交換が必要となる。このため、この水栓装置は、電池交換の頻度が少なくなるように、電池の消耗を抑えることが求められる。
【０００５】
本発明は、上記従来の実情に鑑みてなされたものであって、電池を電源として電磁弁及び表示部を駆動する水栓装置において電池の消耗を抑えることを解決すべき課題としている。
【課題を解決するための手段】
【０００６】
本発明の水栓装置は、
吐水部を有する水栓本体と、
前記吐水部に接続する流路上に設けられ、電池を駆動源として駆動される電磁弁と、
所定の操作部に対して所定の吐水操作が行われたことに基づき、前記流路を閉塞する閉塞位置から前記流路を開放する開放位置に前記電磁弁を移動させる制御部と、
前記操作部に対して前記吐水操作が行われたときに、前記制御部からの指示に応じて、前記電池を駆動源として点灯する吐水表示部と、を備え、
前記制御部は、前記操作部に対して前記吐水操作が行われたことに基づき、前記電磁弁を前記開放位置に移動させるとともに、前記吐水表示部を所定の吐水用点灯パターンで点灯する吐水用点灯状態とし、第１所定期間経過後に消灯状態とする吐水用点灯制御を行うことを特徴とする。
【０００７】
この水栓装置は、操作部に対して吐水操作が行われたことに基づき、電磁弁を開放位置に移動させるとともに、吐水表示部を点灯させる。すなわち、この水栓装置は、吐水開始時に吐水表示部を点灯させるので、吐水表示部の点灯によって吐水の開始を使用者に認識させることができる。
さらに、この水栓装置は、操作部に対して吐水操作が行われたことに基づき、吐水表示部を所定の吐水用点灯パターンで点灯する吐水用点灯状態とした後、第１所定期間経過後に消灯状態とする。このため、この水栓装置は、電池の消耗を抑えることができる。
【０００８】
したがって、本発明の水栓装置は、電磁弁及び表示部の駆動源として機能する電池の消耗を抑えることができる。
【図面の簡単な説明】
【０００９】
【図１】実施例１の水栓装置の構成を概略的に示す説明図である。
【図２】水栓装置の各種表示部を拡大して示す説明図である。
【図３】（Ａ）は、原水用吐水表示部の動作の一例を示すタイミングチャートである。（Ｂ）は、図３（Ａ）に示す動作とは異なる原水用吐水表示部の動作の一例を示すタイミングチャートである。（Ｃ）は、原水用吐水表示部及び電池用交換表示部の動作の一例を示すタイミングチャートである。
【発明を実施するための形態】
【００１０】
本発明における好ましい実施の形態を説明する。
【００１１】
本発明の水栓装置において、制御部は、前記吐水用点灯制御を行っている状況下で、前記操作部に対して前記止水操作が行われたことに基づき、前記電磁弁を前記開放位置から前記閉塞位置に移動させるとともに、前記吐水用点灯制御を中止して前記吐水表示部を前記消灯状態とし得る。
この場合、この水栓装置は、第１所定期間が経過する前であっても、止水操作が行われたことに基づき、吐水表示部を消灯状態とする。このため、この水栓装置は、吐水中でないにも関わらず吐水表示部が吐水用点灯状態となることで使用者に違和感を与えてしまうことを防止することができ、さらに電池の消耗をさらに抑えることができる。
【００１２】
本発明の水栓装置は、前記電池の交換時期となったことに基づき、前記制御部からの指示に応じて、前記電池を駆動源として点灯する電池用交換表示部を備え得る。前記制御部は、前記電池の交換時期において前記操作部に対して前記吐水操作が行われたことに基づき、前記電磁弁を前記開放位置に移動させて前記吐水用点灯制御を行うとともに、前記電池用交換表示部を所定の電池用点灯パターンで点灯する電池用点灯状態とし、第２所定期間経過後に消灯状態とする電池用点灯制御を行い得る。
この場合、この水栓装置は、電池の交換時期において操作部に対して吐水操作が行われたことに基づき電池用交換表示部を点灯させる。このため、この水栓装置は、電池の交換時期となったことを使用者に知らせることができる。さらに、この水栓装置は、操作部に対して吐水操作が行われたことに基づき、電池用交換表示部を所定の電池用点灯パターンで点灯する電池用点灯状態とした後、第２所定期間経過後に消灯状態とする。このため、この水栓装置は、電池用交換表示部を一旦電池用点灯状態とした後、電池が切れるまでその電池用点灯状態を継続させる場合と比較して、電池の消耗を抑えることができる。
【００１３】
本発明の水栓装置において、前記第２所定期間は前記第１所定期間よりも長くし得る。
この場合、この水栓装置は、より重要性の高い情報を示す電池用交換表示部の方の点灯状態を長く継続させることができる。このため、この水栓装置は、電池の消耗を抑えつつも、電池の交換時期となったことをより確実に使用者に知らせることができる。
【００１４】
本発明の水栓装置において、前記制御部は、前記吐水用点灯制御で前記吐水表示部を前記吐水用点灯状態とし且つ前記電池用点灯制御で前記電池用交換表示部を前記電池用点灯状態としている状況下で、前記操作部に対して前記止水操作が行われたことに基づき、前記電磁弁を前記開放位置から前記閉塞位置に移動させるとともに、前記吐水用点灯制御を中止して前記吐水表示部を前記消灯状態とする一方、前記電池用点灯制御における前記電池用点灯状態を継続させ得る。
この場合、この水栓装置は、第１所定期間が経過する前であっても、止水操作が行われたことに基づき、吐水表示部を消灯状態とする。その一方で、この水栓装置は、第２所定期間が経過する前に止水操作が行われても、電池用交換表示部の電池用点灯状態は継続させる。このため、この水栓装置は、吐水中でないにも関わらず吐水表示部が吐水用点灯状態となることで使用者に違和感を与えることを防止することができ、さらに電池の消耗をより一層抑えつつ、さらに電池の交換時期となったことをより確実に使用者に知らせることができる。
【００１５】
次に、本発明の水栓装置を具体化した実施例１について、図面を参照しつつ説明する。
【００１６】
＜実施例１＞
実施例１の水栓装置１は、図１に示すように、水栓本体１０、原水用開閉弁４０、浄水用開閉弁４２、定流量弁４４、及び制御部７０を備える。水栓本体１０は、カウンタ９０上に起立した状態で設置される。水栓本体１０は、基部１２と、吐水管部１４とを有する。
【００１７】
基部１２は、カウンタ９０上に設置される。基部１２は、混合弁２０を内蔵している。混合弁２０には、給水路８０が接続されており、給水元管からの水が止水栓５０を経て給水路８０を通じて供給される。また、混合弁２０には、給湯路８２が接続されており、給湯元管からの湯が止水栓５２を経て給湯路８２を通じて供給される。混合弁２０は、給水路８０から供給された水と給湯路８２から供給された湯とを、後述のレバーハンドル２２の操作に応じて任意の比率で混合して適温の温水とし、水栓本体１０の内側に形成された流出路８４から流出させる。
【００１８】
基部１２は、混合弁２０を操作するレバーハンドル２２を備える。レバーハンドル２２は、左右に回動自在となっており、左右に回動操作されることで、水と湯との混合比率（混合水の温度）を調節する。また、レバーハンドル２２は、上下に回動自在となっており、上下に回動操作されることで、温水の吐出流量を調節する。
【００１９】
吐水管部１４は、基部１２の上部から上方に延び、前方に向かうにつれて下方に湾曲して垂れ下がっている。吐水管部１４は、吐水口が形成された吐水部１６を先端に有する。吐水部１６は、流出路８４に接続しており、流出路８４を通じて供給された水を吐出する。
【００２０】
原水用開閉弁４０は、流出路８４上に設けられており、電池９２を駆動源として駆動される。原水用開閉弁４０は、制御部７０と電気的に接続されており、制御部７０からの指示に応じて、流出路８４を開放する開放位置と流出路８４を閉塞する閉塞位置との間で移動する。
【００２１】
なお、電池９２は、使用者が交換することが可能な電池であればよく、乾電池であってもよいし、蓄電池であってもよい。
【００２２】
給水路８０上には、混合弁２０側への水の流れを許容する一方、逆方向の流れを阻止する逆止弁５４が設けられている。また、給湯路８２上には、混合弁２０側への湯の流れを許容する一方、逆方向の流れを防止する逆止弁５６が設けられている。
【００２３】
給水路８０は、逆止弁５４よりも下流側の位置から浄水路８６が分岐している。浄水路８６は、下流側の端部が原水用開閉弁４０よりも下流側の位置で流出路８４に接続している。浄水路８６上には、浄水器として機能する浄水カートリッジ９４が設けられており、浄水路８６に流入した水は、浄水カートリッジ９４で浄化された後、流出路８４に流出される。なお、以下では、浄水カートリッジ９４で浄化された水を「浄水」とも称し、浄化されていない水を「原水」とも称する。
【００２４】
浄水カートリッジ９４は、使用期限が予め決まっており、使用期限（例えば使用開始から１年間）になると交換する必要がある。また、浄水カートリッジ９４は、浄化できる水の流量に上限があり、浄化した水の流量が上限（例えば１００００Ｌ）に達すると浄化能力が低下する。このため、浄水カートリッジ９４は、浄化した水の流量が上限に達するか、その少し前には交換する必要がある。
【００２５】
浄水用開閉弁４２及び定流量弁４４は、浄水路８６上に設けられている。浄水用開閉弁４２は、電池９２を駆動源として駆動される。浄水用開閉弁４２は、制御部７０と電気的に接続されており、制御部７０からの指示に応じて、浄水路８６を開放する開放位置と浄水路８６を閉塞する閉塞位置との間で移動する。
【００２６】
図２に示すように、水栓装置１は、原水を吐出させるために操作する原水用操作部６０Ａと、浄水を吐出させるために操作する浄水用操作部６０Ｂとを備える。原水用操作部６０Ａ及び浄水用操作部６０Ｂの各々は、例えば人体等を検知する近接センサとして構成されている。原水用操作部６０Ａ及び浄水用操作部６０Ｂの各々は、吐水管部１４における下方に湾曲して垂れ下がった部分の上側に設けられており、吐水管部１４の上方を検知領域としている。原水用操作部６０Ａは、浄水用操作部６０Ｂの前方に配置されており、原水用操作部６０Ａの検知領域は、浄水用操作部６０Ｂの検知領域よりも前方に設けられている。原水用操作部６０Ａは、制御部７０に電気的に接続されており、人体等を検知したことに基づき、検知信号を制御部７０に出力する。
【００２７】
水栓装置１は、原水用吐水表示部６２Ａと、浄水用吐水表示部６２Ｂとを備える。原水用吐水表示部６２Ａは、原水が吐出されたことを使用者に報知するための表示部であり、浄水用吐水表示部６２Ｂは、浄水が吐出されたことを使用者に報知するための表示部である。原水用吐水表示部６２Ａは、原水用操作部６０Ａの前方側の近傍に配置されており、浄水用吐水表示部６２Ｂは、浄水用操作部６０Ｂの後方側の近傍に配置されている。原水用吐水表示部６２Ａは、ＬＥＤなどの発光素子６３Ａを内蔵した表示器として構成されており、浄水用吐水表示部６２Ｂは、ＬＥＤなどの発光素子６３Ｂを内蔵した表示器として構成されている。
【００２８】
原水用吐水表示部６２Ａは、原水用操作部６０Ａに対して吐水操作が行われたことに基づき、制御部７０からの指示に応じて点灯する。ここで、原水用操作部６０Ａに対する吐水操作は、原水用開閉弁４０及び浄水用開閉弁４２が閉塞位置にあるときに原水用操作部６０Ａに手などをかざす操作である。
【００２９】
浄水用吐水表示部６２Ｂは、浄水用操作部６０Ｂに対して吐水操作が行われたことに基づき、制御部７０からの指示に応じて点灯する。ここで、浄水用操作部６０Ｂに対する吐水操作は、原水用開閉弁４０及び浄水用開閉弁４２が閉塞位置にあるときに浄水用操作部６０Ｂに手などをかざす操作である。
【００３０】
水栓装置１は、電池用交換表示部６４Ａと、浄水カートリッジ用交換表示部６４Ｂとを備える。電池用交換表示部６４Ａは、電池９２の交換時期となったことを使用者に報知する表示部であり、浄水カートリッジ用交換表示部６４Ｂは、浄水カートリッジ９４の交換時期となったことを使用者に報知する表示部である。電池用交換表示部６４Ａは、原水用操作部６０Ａの近傍に配置されており、浄水カートリッジ用交換表示部６４Ｂは、浄水用操作部６０Ｂの近傍に配置されている。
【００３１】
電池用交換表示部６４Ａは、ＬＥＤなどの発光素子６５Ａと、発光素子６５Ａを覆う表示パネル６６Ａとを有する。電池用交換表示部６４Ａは、制御部７０に電気的に接続されており、電池９２の交換時期となったことに基づき、制御部７０からの指示に応じて点灯する。電池用交換表示部６４Ａは、発光素子６５Ａが点灯したとき、表示パネル６６Ａを透過する光によって電池９２の交換時期となったことを示す情報６８Ａを表示する。
【００３２】
なお、制御部７０は、電池９２の出力電圧を監視しており、電池９２の出力電圧が所定の第１電圧値未満になると、電池９２の交換時期になったと判断する。第１電圧値は、電池９２の未使用時の出力電圧よりも小さい電圧値である。
【００３３】
浄水カートリッジ用交換表示部６４Ｂは、ＬＥＤなどの発光素子６５Ｂと、発光素子６５Ｂを覆う表示パネル６６Ｂとを有する。浄水カートリッジ用交換表示部６４Ｂは、制御部７０に電気的に接続されており、浄水カートリッジ９４の交換時期となったことに基づき、制御部７０からの指示に応じて点灯する。浄水カートリッジ用交換表示部６４Ｂは、発光素子６５Ｂが点灯したとき、表示パネル６６Ｂを透過する光によって浄水カートリッジ９４の交換時期になったことを示す情報６８Ｂを表示する。
【００３４】
なお、制御部７０は、浄水カートリッジ９４を取り付けてから（交換してから）の通電時間を監視しており、この通電時間が浄水カートリッジ９４の使用期限（例えば１年）の所定期間前（例えば１４日前）に到達すると、浄水カートリッジ９４の交換時期になったと判断する。また、制御部７０は、浄水路８６の流量を監視しており、浄水カートリッジ９４を取り付けてから（交換してから）の流量の積算値が所定の閾値（例えば９６００Ｌ）に到達すると、浄水カートリッジ９４の交換時期になったと判断する。
【００３５】
原水用吐水表示部６２Ａと浄水用吐水表示部６２Ｂは、互いに異なる色で点灯する。電池用交換表示部６４Ａと浄水カートリッジ用交換表示部６４Ｂは、互いに異なる色で点灯する。原水用吐水表示部６２Ａと電池用交換表示部６４Ａは同色（赤色）で点灯する。浄水用吐水表示部６２Ｂと浄水カートリッジ用交換表示部６４Ｂは同色（青色）で点灯する。
【００３６】
制御部７０は、マイクロコントローラを備える。また、制御部７０は、原水用開閉弁４０、浄水用開閉弁４２、原水用吐水表示部６２Ａ、浄水用吐水表示部６２Ｂ、電池用交換表示部６４Ａ及び浄水カートリッジ用交換表示部６４Ｂ等と電気的に接続されており、各機器を個別に駆動する駆動回路を備える。
【００３７】
次に、図３を用いて、水栓装置１の動作について説明する。なお、以下では、水栓装置１が所定の待機状態で行う動作について説明する。ここで、待機状態とは、原水用開閉弁４０及び浄水用開閉弁４２がともに閉塞位置に配置され、且つ原水用吐水表示部６２Ａ、浄水用吐水表示部６２Ｂ、電池用交換表示部６４Ａ及び浄水カートリッジ用交換表示部６４Ｂが全て消灯状態である状態をいう。
【００３８】
まず、図３（Ａ）及び図３（Ｂ）を用いて、原水用吐水表示部６２Ａの点灯動作について説明する。
制御部７０は、待機状態において、原水用操作部６０Ａに対して吐水操作が行われたか否かを判定する。制御部７０は、原水用開閉弁４０及び浄水用開閉弁４２が閉塞位置にある状況下で、原水用操作部６０Ａが人体等を検知したときに、原水用操作部６０Ａに対して吐水操作が行われたと判定する。制御部７０は、原水用操作部６０Ａに対して吐水操作が行われたと判定したとき、原水用開閉弁４０を開放位置に移動させるとともに、原水用吐水表示部６２Ａを所定の原水吐水用点灯パターンで点灯させる点灯状態とし、第１所定期間（例えば５秒）経過後に消灯状態とする吐水用点灯制御を行う（図３（Ａ）参照）。これにより、水栓装置１は、吐水（原水を吐出）しつつ、原水用吐水表示部６２Ａを点灯させる。
【００３９】
ここで、点灯パターンとは、点灯色、点灯し続けるか点滅であるか、点滅である場合における点滅の周期、点滅の周期に占めるオン時間の割合（デューティ比）などによって規定されるパターンである。原水吐水用点灯パターンは、赤色で、２０％のデューティ比で、１秒周期で点滅する点灯パターンとなっている。
【００４０】
制御部７０は、原水用開閉弁４０を開放位置に移動させた後、止水操作が行われたか否かを繰り返し判定する。制御部７０は、原水用開閉弁４０が開放位置にある状態で原水用操作部６０Ａが人体等を検知したときに、止水操作が行われたと判定する。制御部７０は、止水操作が行われることなく第１所定期間が経過すると、原水用開閉弁４０を開放位置に維持したまま原水用吐水表示部６２Ａを消灯状態とし、吐水用点灯制御を終了する（図３（Ａ）参照）。その後、制御部７０は、止水操作が行われたと判定すると、原水用開閉弁４０を閉塞位置に移動させる。これにより、水栓装置１は止水する。
【００４１】
これに対し、制御部７０は、第１所定期間が経過する前に（原水用吐水表示部６２Ａの吐水用点灯状態で）止水操作が行われたと判定すると、原水用開閉弁４０を閉塞位置に移動させるとともに、吐水用点灯制御を中止して、原水用吐水表示部６２Ａを消灯状態とする（図３（Ｂ）参照）。
【００４２】
続いて、図３（Ｃ）を用いて、原水用吐水表示部６２Ａ及び電池用交換表示部６４Ａの点灯動作について説明する。
制御部７０は、待機状態において、原水用操作部６０Ａに対して吐水操作が行われたか否かを判定する。制御部７０は、原水用操作部６０Ａに対して吐水操作が行われたと判定すると、原水用開閉弁４０を開放位置に移動させ、原水用吐水表示部６２Ａを上述の吐水用点灯状態とする吐水用点灯制御を行うとともに、電池用交換表示部６４Ａを所定の電池用点灯パターンで点灯させる電池用点灯状態とし、第２所定期間（例えば１０秒）経過後に消灯状態とする電池用点灯制御を行う。これにより、制御部７０は、吐水（原水を吐出）しつつ、原水用吐水表示部６２Ａ及び電池用交換表示部６４Ａを点灯させる。
【００４３】
電池用点灯パターンは、原水吐水用点灯パターンと比較して、デューティ比のみが異なる点灯パターンとなっている。即ち、電池用点灯パターンは、原水吐水用点灯パターンよりも大きいデューティ比（５０％）、原水吐水用点灯パターンと同じ点灯色（赤色）で、且つ原水吐水用点灯パターンと同じ周期（１秒）で点滅する点灯パターンとなっている。また、第２所定期間は第１所定期間よりも長い期間となっている。
【００４４】
制御部７０は、原水用開閉弁４０を開放位置に移動させた後、止水操作が行われたか否かの判定を繰り返し行う。制御部７０は、止水操作が行われることなく第１所定期間が経過すると、原水用開閉弁４０を開放位置に維持したまま吐水用点灯制御を終了して、原水用吐水表示部６２Ａの消灯状態とする。さらに、制御部７０は、止水操作が行われることなく第２所定期間が経過すると、原水用開閉弁４０を開放位置に維持したまま電池用点灯制御を終了して、電池用交換表示部６４Ａを消灯状態とする。その後、制御部７０は、止水操作が行われると、原水用開閉弁４０を閉塞位置に移動させる。これにより、水栓装置１は止水する。
【００４５】
これに対し、制御部７０は、第１所定期間が経過する前に（原水用吐水表示部６２Ａの吐水用点灯状態で且つ電池用交換表示部６４Ａの電池用点灯状態において）止水操作が行われると、原水用開閉弁４０を閉塞位置に移動させるとともに、吐水用点灯制御を中止して、原水用吐水表示部６２Ａを消灯状態とするが、電池用交換表示部６４Ａの電池用点灯状態は継続する。その後、制御部７０は、第２所定期間が経過すると、電池用交換表示部６４Ａを消灯状態とし、電池用点灯制御を終了させる。
【００４６】
また、水栓装置１は、待機状態において、浄水用操作部６０Ｂに対して吐水操作が行われた場合に、浄水を吐出させるとともに、浄水用吐水表示部６２Ｂを点灯させる。より具体的には、水栓装置１は、浄水用操作部６０Ｂに対して吐水操作が行われた場合に、浄水を吐出させるとともに、浄水用吐水表示部６２Ｂを所定の浄水吐水用点灯パターンで点灯する点灯状態とし、所定期間経過後に消灯状態とする。
【００４７】
ここで、浄水吐水用点灯パターンは、原水吐水用点灯パターンと比較して、点灯色のみが異なる点灯パターンとなっている。即ち、浄水吐水用点灯パターンは、原水吐水用点灯パターンとは異なる点灯色（青色）、浄水吐水用点灯パターンと同じデューティ比（２０％）で、且つ浄水吐水用点灯パターンと同じ周期（１秒）で点滅する点灯パターンとなっている。
【００４８】
さらに、水栓装置１は、電池９２の交換時期となっている場合には、浄水用操作部６０Ｂに対して吐水操作が行われたときに、電池用交換表示部６４Ａも点灯させる。
【００４９】
浄水用操作部６０Ｂに対して吐水操作が行われた場合における浄水用開閉弁４２、浄水用吐水表示部６２Ｂ及び電池用交換表示部６４Ａの動作は、上述した吐水用点灯パターンを除き、原水用操作部６０Ａに対して吐水操作が行われた場合における原水用開閉弁４０、原水用吐水表示部６２Ａ及び電池用交換表示部６４Ａの動作と同じであるため、説明を省略する。
【００５０】
このように、この水栓装置１は、原水用操作部６０Ａに対する吐水操作又は浄水用操作部６０Ｂに対する吐水操作が行われたことに基づき、原水用開閉弁４０又は浄水用開閉弁４２を開放位置に移動させるとともに、原水用吐水表示部６２Ａ又は浄水用吐水表示部６２Ｂを点灯させる。すなわち、この水栓装置１は、吐水開始時に原水用吐水表示部６２Ａ又は浄水用吐水表示部６２Ｂを点灯させるので、原水用吐水表示部６２Ａ又は浄水用吐水表示部６２Ｂの点灯によって吐水の開始を使用者に認識させることができる。また、混合弁２０が閉塞されている場合など、使用者は、原水用吐水表示部６２Ａが点灯しているにもかかわらず、吐水されない場合には、少なくとも吐水操作は正常に検知されていることを把握することができる。
さらに、この水栓装置１は、原水用操作部６０Ａに対する吐水操作又は浄水用操作部６０Ｂに対する吐水操作が行われたことに基づき、原水用吐水表示部６２Ａ又は浄水用吐水表示部６２Ｂを所定の吐水用点灯パターンで点灯する吐水用点灯状態とした後、第１所定期間経過後に消灯状態とする。このため、この水栓装置１は、電池９２の消耗を抑えることができる。
【００５１】
したがって、この水栓装置１は、原水用開閉弁４０、浄水用開閉弁４２、原水用吐水表示部６２Ａ及び浄水用吐水表示部６２Ｂの駆動源として機能する電池９２の消耗を抑えることができる。
【００５２】
また、この水栓装置１は、第１所定期間が経過する前であっても、止水操作が行われたことに基づき、吐水用点灯状態にある原水用吐水表示部６２Ａ又は浄水用吐水表示部６２Ｂを消灯状態とする。このため、この水栓装置１は、吐水中でないにも関わらず原水用吐水表示部６２Ａ又は浄水用吐水表示部６２Ｂが吐水用点灯状態となることで使用者に違和感を与えてしまうことを防止することができ、さらに電池９２の消耗をさらに抑えることができる。
【００５３】
また、この水栓装置１は、電池９２の交換時期において、原水用操作部６０Ａに対する吐水操作又は浄水用操作部６０Ｂに対する吐水操作が行われたことに基づき電池用交換表示部６４Ａを点灯させる。このため、この水栓装置１は、電池９２の交換時期となったことを使用者に知らせることができる。さらに、この水栓装置１は、原水用操作部６０Ａに対する吐水操作又は浄水用操作部６０Ｂに対する吐水操作が行われたことに基づき、電池用交換表示部６４Ａを所定の電池用点灯パターンで点灯する電池用点灯状態とした後、第２所定期間経過後に消灯状態とする。このため、この水栓装置１は、電池用交換表示部６４Ａを一旦電池用点灯状態とした後、電池９２が切れるまでその電池用点灯状態を継続させる場合と比較して、電池９２の消耗を抑えることができる。
【００５４】
また、この水栓装置１は、より重要性の高い情報を示す電池用交換表示部６４Ａの方の点灯状態を長く継続させることができる。このため、この水栓装置１は、電池９２の消耗を抑えつつも、電池９２の交換時期になったことをより確実に使用者に知らせることができる。
【００５５】
また、この水栓装置１は、第１所定期間が経過する前であっても、止水操作が行われたことに基づき、点灯状態にある原水用吐水表示部６２Ａ又は浄水用吐水表示部６２Ｂを消灯状態とする。その一方で、この水栓装置１は、第２所定期間が経過する前に止水操作が行われても、電池用交換表示部６４Ａの電池用点灯状態は継続させる。このため、この水栓装置１は、吐水中でないにも関わらず原水用吐水表示部６２Ａ又は浄水用吐水表示部６２Ｂが吐水用点灯状態となることで使用者に違和感を与えることを防止することができ、さらに電池９２の消耗をより一層抑えつつ、電池９２の交換時期になったことをより確実に使用者に知らせることができる。
【００５６】
＜他の実施例＞
本発明は上記記述及び図面によって説明した実施例１に限定されるものではなく、例えば次のような実施例も本発明の技術的範囲に含まれる。
（１）実施例１の水栓装置は、原水用開閉弁及び浄水用開閉弁の両方が閉塞位置にあるときに原水用操作部が人体等を検知すると原水用操作部に対して吐水操作が行われたと判定し、原水用開閉弁が開放位置にあるときに原水用操作部が人体等を検知すると原水用操作部に対して止水操作が行われたと判定するようにした。しかし、水栓装置は、原水用操作部が人体等を検知したときに原水用操作部に対して吐水操作が行われたと判定し、原水用操作部が人体等を検知しなくなったときに原水用操作部に対して止水操作が行われたと判定するようにしてもよい。浄水用操作部に対する吐水操作及び止水操作についても同様である。
（２）実施例１の水栓装置は、操作部として近接センサを採用したが、近接センサ以外のセンサを操作部として採用してもよいし、センサ以外の操作部（例えばボタン）を採用してもよい。
（３）実施例１の水栓装置は、原水用操作部に対して吐水操作が行われたときに電池用交換表示部を点灯させる一方、止水操作が行われたときには電池用交換表示部を点灯させない構成とした。しかし、水栓装置は、原水用操作部に対して吐水操作が行われたときだけでなく、原水用操作部に対して止水操作が行われたときにも電池用交換表示部を点灯させる構成としてもよい。
（４）実施例１の水栓装置は、原水吐水用点灯パターンと電池用点灯パターンは、互いにデューティ比が異なるようにしたが、点灯色、点灯し続けるか点滅であるか、点滅の周期などの要素が異なるようにしてもよい。また、実施例１の水栓装置は、浄水吐水用点灯パターンと電池用点灯パターンは、互いに点灯色及びデューティ比が異なるようにしたが、点灯し続けるか点滅であるか、点滅の周期などの要素が異なるようにしてもよい。
（５）実施例１の水栓装置は、原水吐水用点灯パターンと電池用点灯パターンを異なる点灯パターンとしたが、同じ点灯パターンとしてもよい。また、実施例１の水栓装置は、浄水吐水用点灯パターンと電池用点灯パターンを異なる点灯パターンとしたが、同じ点灯パターンとしてもよい。
（６）実施例１の水栓装置は、原水吐水用点灯パターンと浄水吐水用点灯パターンは、互いに点灯色が異なるようにしたが、点灯し続けるか点滅であるか、点滅の周期、デューティ比などの要素が異なるようにしてもよい。
（７）実施例１の水栓装置は、原水吐水用点灯パターンと浄水吐水用点灯パターンを異なる点灯パターンとしたが、同じ点灯パターンとしてもよい。
（８）実施例１の水栓装置は、浄水を吐出することができる構成としたが、浄水を吐出することができない構成であってもよい。この場合、浄水用開閉弁、浄水用操作部、浄水用吐水表示部などは不要である。
【符号の説明】
【００５７】
１…水栓装置
１０…水栓本体
１６…吐水部
４０…原水用開閉弁（電磁弁）
４２…浄水用開閉弁（電磁弁）
６０Ａ…原水用操作部（操作部）
６０Ｂ…浄水用操作部（操作部）
６２Ａ…原水用吐水表示部（吐水表示部）
６２Ｂ…浄水用吐水表示部（吐水表示部）
６４Ａ…電池用交換表示部
６４Ｂ…浄水カートリッジ用交換表示部
７０…制御部
８４…流出路（流路）
８６…浄水路（流路）
９２…電池
９４…浄水カートリッジ
【図１】
2020037773.tif 000003
【図２】
2020037773.tif 000004
【図３】
2020037773.tif 000005